(57)【要約】本発明は、エスカレータまたは動く歩道の構成要素の運転装置に関するものである。運転装置は、少なくとも１つの運転モータと、少なくとも１つのギヤボックスとを含み、これらは、上記構成要素であるステップまたはパレットの鎖車シャフトと、オプションの手すり運転シャフトとに接続されている。これによって、とりわけ鎖車シャフトの側において、少なくとも一組の歯車は可変の基準円直径を有することとなる。
2004527433.tif 000002
【特許請求の範囲】
【請求項１】
エスカレータまたは動く歩道の構成要素（７'）の運転装置において、該装置は少なくとも１つの運転モータ（２'）と、少なくとも１つの伝動装置（１'）とを含み、該伝動装置はステップまたはパレットのチェーン駆動シャフトなどの前記構成要素（７'）を駆動する関係にあり、鎖車シャフトの側における少なくとも一組の歯車（３'、４'）は可変の基準円直径（９'、10'）を有する運転装置。
【請求項２】
エスカレータまたは動く歩道の構成要素（７、８）の運転装置において、該装置は少なくとも１つの運転モータ（２）と、少なくとも１つの伝動装置（１）とを含み、該伝動装置はステップまたはパレットの鎖車シャフトおよび手すりの運転シャフトなどの前記構成要素（７、８）を駆動する関係にあり、前記鎖車シャフトの側における少なくとも一組の歯車（３、４）は可変の基準円直径（９、10）を有する運転装置。
【請求項３】
請求項１または２に記載の運転装置において、前記伝動装置（１）は動力分割装置であることを特徴とする運転装置。
【請求項４】
請求項１ないし３のいずれかに記載の運転装置において、前記一組の歯車（３、４、３'、４'）の基準円直径（９、10、９'、10'）は、円周に沿った方向において最大値と最小値との間を変化することを特徴とする運転装置。
【請求項５】
請求項１ないし４のいずれかに記載の運転装置において、前記基準円直径（９、10、９'、10'）の円周に沿った変化は、ステップ帯またはパレット帯用の鎖車の歯数を相似的に表すことを特徴とする運転装置。
【請求項６】
請求項１ないし５のいずれかに記載の運転装置において、ステップまたはパレットの鎖車シャフトの側のみ、不規則性が得られる一方、手すりの運転シャフトが存在する場合は、該手すりの運転シャフトは一定速度で走行することを特徴とする運転装置。
【発明の詳細な説明】
【詳細な説明】
【０００１】
本発明はエスカレータまたは動く歩道の構成要素の運転装置に関するものである。
【０００２】
エスカレータまたは動く歩道が電気モータによって間接的または直接的に運転されることは、広く知られている。間接的な運転の場合、必要に応じて動力分割装置を備えた少なくとも１つの減速歯車が設けられ、その減速歯車の領域において、エスカレータまたは動く歩道の複数の移動構成要素が伴走するように運転可能である。こうした構成要素に該当するのはステップ帯またはパレット帯であり、必要に応じて設けられた手すりも、手すり用の別個の運転手段が設けられていない場合には構成要素となる。ステップ帯またはパレット帯は通常、板リンクチェーンによって移動し、板リンクチェーンの移動方向は、逆転領域において、これらの領域に設けられた鎖車によって、変更される。エスカレータおよび動く歩道に対して本質的に要求されることは、好ましくない多角形効果を生じることなくステップ帯またはパレット帯の逆転を可能にすることであり、さらに、ステップ帯またはパレット帯と手すりとが伴走するときに、それらを同期して走行させ、一方の構成要素が他方のものより高速または低速に走行して乗客に被害を及ぼすことがないようにすることである。
【０００３】
運転コンセプトを最適化し、とりわけ逆転領域で生じる多角形効果を減少させるため、板リンクチェーンをステップ帯またはパレット帯として使用することが可能であり、さらにこれら板リンクチェーンは、ステップ幅またはパレット幅に応じた、例えば約200 mmまたは約400 mmもの大きなピッチも有する。必要に応じて、不定速度で回転する運転モータは、板リンクチェーンを駆動する関係としてよい。しかし、こうした望ましいはずの大きなチェーンピッチは、逆転中の多角形効果に対して問題を生じかねず、手すりとの同期運転にも悪影響を及ぼしかねない。
【０００４】
そこで本発明は、エスカレータまたは動く歩道の構成要素の運転装置を改善し、ステップ帯またはパレット帯に与えられたチェーンピッチにも既存の運転モータにも依存することなく、あらゆる場合において多角形効果をほとんどすべてなくし、伴走する手すりとの同期走行も確保して共通の運転を行なうことを目的とする。
【０００５】
一方で、本目的は、エスカレータまたは動く歩道の構成要素の運転装置によって実現する。運転装置は、少なくとも１つの運転モータと、ステップまたはパレットのチェーン駆動シャフトなどの上記構成要素を駆動する関係にある少なくとも１つの歯車とを含む。本運転装置では、鎖車シャフトの側において、少なくとも一組の歯車は、可変の基準円直径を有する。
【０００６】
他方で、本目的は、エスカレータまたは動く歩道の構成要素の運転装置によって実現する。運転装置は、少なくとも１つの運転モータと、ステップまたはパレットの鎖車シャフトや手すりの運転シャフトなどの上記構成要素を駆動する関係にある少なくとも１つの歯車とを含む。本運転装置では、とりわけ、鎖車シャフトの側において、少なくとも一組の歯車が、可変の基準円直径を有する。
【０００７】
本発明の独立した構成要件の有利な実施例は、従属請求項に記載している。
【０００８】
ステップまたはパレットのチェーンのチェーンピッチが大きいことによる多角形効果と、鎖車および場合によっては手すりホイールにも悪影響を及ぼす、ともすれば不規則になりがちな運転モータの運転速度とは、本発明の構成要件によって除去される。すなわち、多角形効果はチェーンピッチが大きいにも拘わらず最小限となり、必要に応じて、手すりもステップ帯またはパレット帯に同期して運転可能となる。したがって、チェーンピッチが大きいことによる有利な効果は、運転コンセプトに有効に組み込むことが可能である。
【０００９】
本発明による歯車のコンセプトは、好ましくは動力分割装置によって実現する。動力分割装置では、好ましくは、ステップまたはパレットの鎖車シャフトの側のみ、可変の基準円直径を有する一組の歯車によって、必要な不規則性が得られる一方、手すりの運転シャフトが存在する場合は、手すりの運転シャフトは一定速度で走行する。
【００１０】
ここで基準円直径は、その円周において、ステップ帯またはパレット帯の運転チェーンとして用いられる、連携する鎖車が有する歯に対応した回数分、最小値と最大値との間を変化する。
【００１１】
本発明を以下、実施例によって図面に示すとともに説明する。
【００１２】
図１は、以下図示しないエスカレータ用の動力分割装置１を示す。動力分割装置１の上流には、必要な運転装置２だけが設けられていて、これはモータおよびオプションである減速歯車で構成されている。動力分割装置１の範疇には、歯車ホイール３、４、５、６が設けられ、歯車ホイール４はステップの鎖車シャフト７に作用する一方、歯車ホイール５は手すりの運転シャフト８に作用する。
【００１３】
本発明によれば、ステップの鎖車の側にある一組の歯車３、４には可変の基準円直径９、10が設けられていて、可変の基準円直径９、10はその円周において、図示しない鎖車が有する歯に対応した回数だけ、最小値と最大値との間を変化する。一組の歯車３、４は、ステップの鎖車シャフト７の側でのみ、決められた不規則性を発生するが、その一方、手すりの運転シャフト８の速度は一定に保たれる。この運転コンセプトは、（ステップ幅に依存した）例えば200 mmまたは400 mmもの大きなチェーンピッチが用いられるがために、多角形効果に対して異質な補償が必要となる場合や、運転モータ２の運転速度が不規則であるにも拘らず、ステップまたは鎖車シャフト７と、手すりの運転シャフト８とを同一速度で走行させたい場合に好ましい。
【００１４】
図２の概略図は、図示しない動く歩道に用いられる運転モータ２'に駆動される関係にある伝動装置１'を示す。伝動装置１'の内部には、歯車ホイール３'、４'が配設されていて、歯車ホイール４'は、パレットの鎖車シャフト７'の方向を軸とするメインドライブピニオンを形成する。本発明によれば、図１と同様に、パレットの鎖車の側における一組の歯車３'、４'は、可変の基準円直径９'、10'を有する。
【図面の簡単な説明】
【００１５】
【図１】結合可能なステップおよび手すりの運転部を含むエスカレータ運転装置の概略図である。
【図２】動く歩道のパレット帯用の運転装置の概略図である。
【図１】
2004527433.tif 000003
【図２】
2004527433.tif 000004
【国際公開パンフレット】
2004527433.tif 000005
2004527433.tif 000006
2004527433.tif 000007
2004527433.tif 000008
2004527433.tif 000009
2004527433.tif 000010
2004527433.tif 000011
2004527433.tif 000012
2004527433.tif 000013
【国際公開パンフレット（コレクトバージョン）】
2004527433.tif 000014
2004527433.tif 000015
【国際調査報告】
2004527433.tif 000016
2004527433.tif 000017
2004527433.tif 000018
2004527433.tif 000019